(57)【特許請求の範囲】
【請求項１】
レンズアセンブリを保持するための筒状部を有するレンズホルダと、該レンズホルダに前記筒状部の周囲に位置するように固定された駆動コイルと、該駆動コイルと対向する永久磁石を備えたヨークと、前記レンズホルダの筒状部の光軸方向両側に設けられ、前記レンズホルダを径方向に位置決めした状態で光軸方向に変位可能に支持する上側板バネおよび下側板バネとを備え、前記上側板バネ及び前記下側板バネの各々は、前記レンズホルダに取り付けられた内周側端部と前記ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置であって、該レンズ駆動装置は、前記ヨークを装着すると共に、前記下側板バネの前記外周側端部を前記ヨークとで挟持するベースと、前記下側板バネと前記ベースとの間に配置されて、前記駆動コイルに電力を供給する電力供給部材とを更に備えたレンズ駆動装置において、
前記電力供給部材は、
前記下側板バネと前記ベースとの間に挟まれて、前記駆動コイルの一対の引出し線と電気的に接続されるフレキシブルプリント基板と、
前記ベースに収容されて、前記フレキシブルプリント基板と接続され、モジュール基板まで下方に延出するばね性を持つ一対の板金端子と、
を有することを特徴とするレンズ駆動装置。
【請求項２】
前記一対の板金端子の各々は、前記ベースに収容されて、前記フレキシブルプリント基板の電極と弾性接触する先端部を持つ弾性接触部と、該弾性接触部から前記モジュール基板まで延出する棒状延出部とを有し、
前記ベースは、前記一対の板金端子の前記弾性接触部を収容して保持する一対の凹部と、前記一対の板金端子の前記棒状延出部が挿通するための一対の挿通孔とを有する、
請求項１に記載のレンズ駆動装置。
【請求項３】
前記弾性接触部の前記先端部には金メッキが施され、
当該弾性接触部の前記先端部と接触する、前記フレキシブルプリント基板の前記電極には金メッキが施されている、請求項２に記載のレンズ駆動装置。
【発明の詳細な説明】
【技術分野】
【０００１】
本発明はレンズ駆動装置に関し、特に、携帯型小型カメラに用いられるオートフォーカス用レンズ駆動装置に関する。
【背景技術】
【０００２】
カメラ付携帯電話には携帯型小型カメラが搭載されている。この携帯型小型カメラには、オートフォーカス用レンズ駆動装置が用いられる。従来から、種々のオートフォーカス用レンズ駆動装置が提案されている。
【０００３】
例えば、特許文献１（特開２００６−２５８９６９号公報）は、オートフォーカスに要する時間を短縮したカメラ付携帯電話を開示している。この特許文献３に開示されたカメラ付携帯電話（レンズ駆動装置）は、一端にレンズ（レンズホルダ、レンズバレル）が取り付けられた筒状部を有するホルダ（レンズホルダ）と、このホルダ（レンズホルダ）にホルダの筒状部の周囲に位置するように固定された駆動コイルと、この駆動コイルと対向する永久磁石を備えたヨークと、ホルダ（レンズホルダ）の筒状部の光軸方向両側に設けられ、ホルダ（レンズホルダ）を径方向に位置決めした状態で光軸方向に変位可能に支持する一対の板バネとを備える。駆動コイルに通電することで、永久磁石の磁界と駆動コイルに流れる電流による磁界との相互作用によって、レンズ（レンズアセンブリ）を光軸方向に位置調整可能である。一対の板バネのうち、一方は上側板バネ（前側スプリング）と呼ばれ、他方は下側板バネ（後側スプリング）と呼ばれる。上側板バネ（前側スプリング）の内周側端部は、ホルダの上端（前端）とストッパとの間に挟持されて、ホルダ（レンズホルダ）に嵌合されている。
【０００４】
この特許文献１に開示されたレンズ駆動装置は、下側板バネの光軸方向外側に設けられ、下側板バネをヨークの光軸方向端面との間で挟持するアクチュエータ・ベースと、駆動コイルに電力を供給するために、下側板バネとアクチュエータ・ベースとの間に配置されたリート状電極（電力供給部材）とを更に有する。シート状電極は、ポリイミドのシート材から成る略円形リング状に形成したリング状部（電極部）と、このリング状部から径方向外側に延出する延出部とを有する。この延出部は、アクチュエータ・ベースの挿入孔を通じてアクチュエータ・ベースの外部に延出している。延出部は、モジュール基板に接続され、駆動コイルに電流を供給する役割を果たす。シート状電極のリング状部上に設けられた端子部に駆動コイルの一対の引出し線の先端をはんだ付けすることで、駆動コイルに電力を供給することができる。
【０００５】
【特許文献１】特開２００６−２５８９６９号公報（図２、図３、図７）
【発明の開示】
【発明が解決しようとする課題】
【０００６】
前述した特許文献１に開示されたレンズ駆動装置では、シート状電極が可撓性を有するので、モジュール基板への導出をレンズ駆動装置の側面で行う必要がある。シート状電極が可撓性を有するので、シート状電極の延出部をモジュール基板にハンダ付けすることが困難である。また、シート状電極の延出部が、レンズ駆動装置の外形よりも外側にはみ出す危険性がある。
【０００７】
本発明の課題は、モジュール基板に容易にハンダ付けすることが可能な電力供給部材を備えたレンズ駆動装置を提供することにある。
【０００８】
本発明の他の課題は、レンズ駆動装置の外形よりも外側にはみ出すことがない電力供給部材を備えたレンズ駆動装置を提供することにある。
【０００９】
本発明の他の目的は、説明が進むにつれて明らかになるだろう。
【課題を解決するための手段】
【００１０】
本発明によれば、レンズアセンブリを保持するための筒状部（１４０）を有するレンズホルダ（１４）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ）方向両側に設けられ、レンズホルダを径方向に位置決めした状態で光軸（Ｏ）方向に変位可能に支持する上側板バネ（２２）および下側板バネ（２４）とを備え、上側板バネ（２２）及び下側板バネ（２４）の各々は、レンズホルダ（１４）に取り付けられた内周側端部（２２２；２４２）とヨーク（２０）に取り付けられた外周側端部（２２４；２４４）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０）であって、このレンズ駆動装置（１０）は、ヨーク（２０）を装着すると共に、下側板バネ（２４）の外周側端部（２４４）をヨーク（２０）とで挟持するベース（１２）と、下側板バネ（２４）とベース（１２）との間に配置されて、駆動コイル（１６）に電力を供給する電力供給部材（３２）とを更に備えたレンズ駆動装置（１０）において、電力供給部材（３２）は、下側板バネ（２４）とベース（１２）との間に挟まれて、駆動コイル（１６）の一対の引出し線（１６２）と電気的に接続されるフレキシブルプリント基板（３２２）と、ベース（１２）に収容されて、フレキシブルプリント基板（３２２）と接続され、モジュール基板まで下方に延出するばね性を持つ一対の板金端子（３２４）と、を有することを特徴とするレンズ駆動装置が得られる。
【００１１】
上記本発明によるレンズ駆動装置（１０）において、一対の板金端子（３２４）の各々は、ベース（１２）に収容されて、フレキシブルプリント基板（３２２）の電極（３２２ａ）と弾性接触する先端部（３２４−１ａ）を持つ弾性接触部（３２４−１）と、この弾性接触部からモジュール基板まで延出する棒状延出部（３２４−２）とを有してよく、ベース（１２）は、一対の板金端子の弾性接触部を収容して保持する一対の凹部（１２ａ）と、一対の板金端子の棒状延出部が挿通するための一対の挿通孔（１２２ａ）とを有してよい。弾性接触部（３２４−１）の先端部（３２４−１ａ）には金メッキが施され、弾性接触部の先端部と接触する、フレキシブルプリント基板（３２２）の電極（３２２ａ）には金メッキが施されていることが好ましい。
【００１２】
尚、上記括弧内の参照符号は、理解を容易にするために付したものであり、一例に過ぎず、これらに限定されないのは勿論である。
【発明の効果】
【００１３】
本発明では、駆動コイルに電力を供給する電力供給部材が、下側板バネとベースとの間に挟まれて、駆動コイルの一対の引出し線と電気的に接続されるフレキシブルプリント基板と、ベースに収容されて、フレキシブルプリント基板と接続され、モジュール基板まで下方に延出するばね性を持つ一対の板金端子とから構成されるので、電力供給部材をモジュール基板に容易にハンダ付けすることが可能で、電力供給部材がレンズ駆動装置の外形よりも外側にはみ出すことがない。
【発明を実施するための最良の形態】
【００１４】
以下、図面を参照して、本発明の実施の形態について説明する。
【００１５】
図１乃至図３を参照して、本発明の一実施の形態によるレンズ駆動装置１０について説明する。図１はレンズ駆動装置１０を示す斜視図であり、図２はレンズ駆動装置１０の分解斜視図であり、図３はレンズ駆動装置１０の主要部の正面断面図である。ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００１６】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００１７】
図示のレンズ駆動装置１０は、オートフォーカス可能なカメラ付き携帯電話に備えられる。レンズ駆動装置１０は、レンズアセンブリ（レンズバレル）（図示せず）を光軸Ｏ方向に移動させるためのものである。レンズ駆動装置１０は、Ｚ軸方向（光軸Ｏ方向）の下側（後側）に配置されたベース１２を有する。このベース１２の下部（後部）には、図示はしないが、モジュール基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、モジュール基板と、撮像素子との組み合わせによって、カメラモジュールが構成される。
【００１８】
レンズ駆動装置１０は、レンズアセンブリ（レンズバレル）を保持するための筒状部１４０を有するレンズホルダ１４と、このレンズホルダ１４に筒状部１４０の周囲に位置するように固定された駆動コイル１６と、この駆動コイル１６と対向する永久磁石１８を備えたヨーク２０と、レンズホルダ１４の筒状部１４０の光軸Ｏ方向両側に設けられた一対の板バネ２２、２４を備える。一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００１９】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００２０】
図２に示されるように、ヨーク２０は四角筒状をしている。すなわち、ヨーク２０は、四角筒形状の外筒部２０２と、この外筒部２０２の上端（前端）に設けられた四角形のリング状端部２０４とを有する。
【００２１】
従って、駆動コイル１６も、四角筒状のヨーク２０の形状に合わせた、略四角筒状をしている。レンズホルダ１４の筒状部１４０は、駆動コイル１６の四隅に対応した位置で、半径方向外側へ突出する４つの接触部１４０−１を持つ。これら４つの接触部１４０−１に、駆動コイル１６の四隅が接着される。すなわち、駆動コイル１６は、筒状部１４０の４つの接触部１４０−１で接着されている。
【００２２】
一方、永久磁石１８は、ヨーク２０の四隅に配置される断面三角形の４つの永久磁石片１８２と、駆動コイル１６の対向する２面に対向する２つの断面矩形状永久磁石片１８４とから構成される。すなわち、永久磁石１８は、ヨーク２０の四角筒形状の外筒部２０２の四隅と２側辺に配置された、合計６個の永久磁石片１８２、１８４から成る。
【００２３】
ヨーク２０の外筒部２０２の内周面に、駆動コイル１６と間隔を置いて、永久磁石１８が配置されている。
【００２４】
上側板バネ（前側スプリング）２２はレンズホルダ１４における光軸Ｏ方向上側（前側）に配置され、下側板バネ（後側スプリング）２４はレンズホルダ１４における光軸Ｏ方向下側（後側）に配置される。上側板バネ（前側スプリング）２２と下側板バネ（後側スプリング）２４とは、略同一構成をしている。
【００２５】
詳述すると、上側板バネ（前側スプリング）２２は、レンズホルダ１４に取り付けられた内周側端部２２２と、ヨーク２０に取り付けられた外周側端部２２４とを有する。内周側端部２２２と外周側端部２２４との間には、３つの腕部が設けられている。各腕部は、内周側端部２２２と外周側端部２２４とを繋いでいる。
【００２６】
同様に、下側板バネ（後側スプリング）２４は、レンズホルダ１４に取り付けられた内周側端部２４２と、ヨーク２０に取り付けられた外周側端部２４４とを有する。内周側端部２４２と外周側端部２４４とに間には、３つの腕部が設けられている。各腕部は、内周側端部２４２と外周側端部２４４とを繋いでいる。
【００２７】
尚、内周側端部は内輪とも呼ばれ、外周側端部は外輪とも呼ばれる。
【００２８】
上側板バネ（前側スプリング）２２の内周側端部２２２は、レンズホルダ１４とストッパ２６に挟持されて固定されている。換言すれば、ストッパ２６は、上側板バネ（前側スプリング）２２の内周側端部２２２を、レンズホルダ１４との間で挟持するように、レンズホルダ１４と嵌合する。一方、上側板バネ（前側スプリング）２２の外周側端部２２４は、ヨーク２０とカバー２８との間に挟持され固定されている。尚、上側板バネ（前側スプリング）２２の外周側端部２２４とカバー２８との間には、リング状プレート３４が配置されている。
【００２９】
ストッパ２６には、次に述べるような機能がある。すなわち、ストッパ２６は、上側板バネ（前側スプリング）２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、上側板バネ（前側スプリング）２２の接着強度を向上させる機能をもつ。これにより、レンズ駆動装置１０の耐衝撃性を向上させている。さらに、ストッパ２６は、レンズ駆動装置１０の落下衝撃の際の上側板バネ（前側スプリング）２２の変形を防止する機能を持つ。これによっても、レンズ駆動装置１０の耐衝撃性を向上させている。また、ストッパ２６は、レンズ駆動装置１０の機械的ストロークを決める機能を持つ。
【００３０】
一方、下側板バネ（後側スプリング）２４の外周側端部２４４は、スペーサ３０を介してヨーク２０に固定されている。換言すれば、スペーサ３０と下側板バネ（後側スプリング）２４の外周側端部２４４とは、ヨーク２０とベース１２との間に挟持されて固定されている。下側板バネ（後側スプリング）２４の内周側端部２４２は、レンズホルダ１４の下端（後端）側に固定されている。
【００３１】
レンズホルダ１４の筒状部１４０の内周壁には雌ネジ１４２が切られている。一方、図示しないが、レンズアセンブリ（レンズバレル）の外周壁には、上記雌ネジ１４２に螺合される雄ネジが切られている。従って、レンズアセンブリ（レンズバレル）をレンズホルダ１４に装着するには、レンズアセンブリ（レンズバレル）をレンズホルダ１４の筒状部１４０に対して光軸Ｏ周りに回転して光軸Ｏ方向に沿って螺合することにより、レンズアセンブリ（レンズバレル）をレンズホルダ１４内に収容し、接着剤なとによって互いに接合する。
【００３２】
駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００３３】
下側板バネ（後側スプリング）２４とベース１２との間には、電力供給部材３２が配置されている。この電力供給部材３２は、駆動コイル１６に電力を供給するためのものである。
【００３４】
電力供給部材３２は、下側板バネ２４とベース１２との間に挟まれて、駆動コイル１６の一対の引出し線１６２と電気的に接続されるフレキシブルプリント基板３２２と、このフレキシブルプリント基板３２２から上記モジュール基板まで下方に延出するばね性を持つ一対の板金端子３２４とを有する。
【００３５】
図３に示されるように、一対の板金端子３２４の各々は、ベース１２に収容されて、フレキシブルプリント基板３２２の電極３２２ａと弾性接触する先端部３２４−１ａを持つ弾性接触部３２４−１と、この弾性接触部３２４−１からモジュール基板まで延出する棒状延出部３２４−２とを有する。ベース１２は、一対の板金端子３２４の弾性接触部３２４−１を収容して保持する一対の凹部１２ａを有する。ベース１２は、一対の板金端子３２４の棒状延出部３２４−２を挿通するための一対の挿通孔１２２ａを持つガイド１２２を有する。
【００３６】
尚、弾性接触部３２４−１の先端部３２４−１ａには金メッキが施され、弾性接触部３２４−１の先端部３２４−１ａと接触する、フレキシブルプリント基板３２２の電極３２２ａには金メッキが施されている。
【００３７】
このように、電力供給部材３２は、下側板バネ２４とベース１２との間に挟まれて、駆動コイル１６の一対の引出し線１６２と電気的に接続されるフレキシブルプリント基板３２２と、このフレキシブルプリント基板３２２からモジュール基板まで下方に延出するばね性を持つ一対の板金端子３２４とから構成されるので、電力供給部材３２をモジュール基板に容易にハンダ付けで接続することが可能であり、電力供給部材３２が、レンズ駆動装置１０の外形よりも外側にはみ出すことがない。そして、ベース１２として耐熱性が低いプリント基板を使用することが可能となる。
【００３８】
以上、本発明についてその好ましい実施の形態によって説明してきたが、本発明の精神を逸脱しない範囲内で、種々の変形が当業者によって可能であるのは明らかである。
【図面の簡単な説明】
【００３９】
【図１】本発明の一実施の形態によるレンズ駆動装置の斜視図である。
【図２】図１に示したレンズ駆動装置の分解斜視図である。
【図３】図１に示したレンズ駆動装置の主要部の正面断面図である。
【符号の説明】
【００４０】
１０    レンズ駆動装置
１２    ベース
１２ａ    凹部
１２２    ガイド
１２２ａ    挿通孔
１４    レンズホルダ
１４０    筒状部
１４０−１    接触部
１４２    雌ネジ
１６    駆動コイル
１６２    引出し線
１８    永久磁石
１８２    断面三角形の永久磁石片
１８４    断面矩形状永久磁石片
２０    ヨーク
２０２    外筒部
２２    上側板バネ（前側スプリング）
２２２    内周側端部（内輪）
２２４    外周側端部（外輪）
２４    下側板バネ（後側スプリング）
２４２    内周側端部（内輪）
２４４    外周側端部（外輪）
２６    ストッパ
２８    カバー
３０    スペーサ
３２    電力供給部材
３２２    フレキシブルプリント基板
３２２ａ    電極
３２４    板金端子
３２４−１    弾性接触部
３２４−１ａ    先端部
３２４−２    棒状延出部
３４    リング状プレート
Ｏ    光軸
【図１】
0005083557.tif 000002
【図２】
0005083557.tif 000003
【図３】
0005083557.tif 000004